(57)【要約】  本発明は、技術装置２００用の輸送箱１００に関し、使用向けの配向において上記輸送箱は、−  第１の上端フレーム８と、この第１の上端フレームは六角形の周囲を有し、６つの頂点１、２、３、４、５、６及び６つの縁１１、１２、１３、１４、１５、１６を備え、−  第２の下端フレーム１８と、この第２の下端フレームは六角形の周囲を有し、６つの頂点２１、２２、２３、２４、２５、２６及び６つの縁３１、３２、３３、３４、３５、３６を備え、−  第１の上端フレーム及び第２の下端フレームは、６つの長手方向の角エレメント４１、４２、４３、４４、４５、４６によって接続され、−  それぞれの上記角エレメントは、第１の端フレーム８の１つの頂点から第２の端フレーム１８の１つの頂点まで延在し、−  よって上記輸送箱は、６つの長手方向の側部５１、５２、５３、５４、５５、５６を備え、−  ここで６つの長手方向の側部の内の３つは、脚部５１、５３、５５であり、各脚部は脚組立体６０を備え、−  ここで各脚組立体６０は、対応する脚部５１、５３、５５に脚を収容する折り畳み状態と、直立位置に配置されたとき上記輸送箱の支持を提供するために脚部５１、５３、５５から外側へ脚が延在した伸展状態との間で切り替え可能なように適合した伸展可能な脚７０を備え、−  ここで各脚組立体６０は、伸展状態において対応の脚を解放可能にロックするロッキング手段１１０を備え、−  ここで３つの脚部５１、５３、５５のいずれか２つは、脚部５２、５４、５６ではない側部の両側に配置される、ことを備える。
2015536875.tif 000002
【特許請求の範囲】
【請求項１】
技術装置（２００）用の輸送箱（１００）で使用向けの配向においてこの輸送箱は、
−  第１の上端フレーム（８）と、この第１の上端フレームは六角形の周囲を有し、６つの頂点（１、２、３、４、５、６）及び６つの縁（１１、１２、１３、１４、１５、１６）を備え、
−  第２の下端フレーム（１８）と、この第２の下端フレームは六角形の周囲を有し、６つの頂点（２１、２２、２３、２４、２５、２６）及び６つの縁（３１、３２、３３、３４、３５、３６）を備え、
−  第１及び第２の端フレームは、６つの長手方向の角エレメント（４１、４２、４３、４４、４５、４６）によって接続され、
−  それぞれの上記角エレメントは、第１の端フレーム（８）の１つの頂点から第２の端フレーム（１８）の一つの頂点まで延在し、
−  よって上記輸送箱は、６つの長手方向の側部（５１、５２、５３、５４、５５、５６）を備え、
−  ここで６つの長手方向の側部の３つは、脚部（５１、５３、５５）であり、各脚部は脚組立体（６０）を備え、
−  ここで各脚組立体（６０）は、対応する脚部（５１、５３、５５）に脚が収容される折り畳み状態と、直立位置に配置されたとき上記輸送箱の支持を提供するために脚部（５１、５３、５５）から外側へ脚が延在している伸展状態との間で切り替え可能なように適合した伸展可能な脚（７０）を備え、
−  ここで各脚組立体（６０）は、伸展状態において対応の脚を解放可能にロックするロッキング手段（１１０）を備え、
−  ここで３つの脚部（５１、５３、５５）のいずれか２つは、脚部ではない側部（５２、５４、５６）の両側に配置される、
ことを備える、
輸送箱。
【請求項２】
各脚組立体は、その折り畳み状態において脚を解放可能にロックするロッキング手段（６４）を備える、請求項１に記載の輸送箱。
【請求項３】
各脚組立体は、
−  脚（７０）と、この脚はその一端にて第２の端フレーム（１８）に近接する位置で脚組立体に対応する脚部（５１，５３，５５）に回動的に取り付けられ、
−  ２つの端を有する支持支柱（７２）と、ここで第１端（７４）は脚（７０）に回動的に取り付けられ、第２端は脚部（５１，５３，５５）に滑動可能に取り付けられる、
を備えた、請求項１又は２に記載の輸送箱。
【請求項４】
ロッキング手段（１１０）は、
第１端１１４及び第２端１１６を有するロッキングエレメント（１１２）と、
脚部（５１、５３、５５）に配置され、脚（７０）のロックを形成するようにロッキングエレメント（１１２）の第１端（１１４）と係合するのに適したロック板（１１８）と、
上記ロッキングエレメント（１１２）は、ロッキングエレメント（１１２）の第１端（１１４）と第２端（１１６）との間の位置で支持支柱（７２）の第２端（７６）に回動的に装着され、
安全ピン１２０と、
上記安全ピンは、ロッキングエレメント（１１２）の第２端（１１６）とロッキングピンを係合することによって、安全ピンがロッキングエレメント（１１２）のロック板（１１８）との非係合を防ぐロッキング位置と、安全ピンがロッキングエレメント（１１２）のロック板（１１８）との非係合を許可する非ロッキング位置との間で切り替えられるのに適している、
請求項３に記載の輸送箱。
【請求項５】
安全ピン（１２０）は、ロッキング位置あるいは非ロッキング位置における適所に保持されるようにバネ付勢されている、請求項４に記載の輸送箱。
【請求項６】
各脚組立体（６０）に関して、対応する側部（５１，５２，５３，５４，５５，５６）と、伸展してロックされた状態における脚（７０）との間の角度は、９０〜１７５°であり、９５〜１７０°のような、例えば１００〜１６５°、例えば１０５〜１６０°、１１０〜１５５°のような、例えば１１５〜１５０°、１２０〜１４５°のような、例えば１２５〜１４０°、１３０〜１３５°のような角度である、請求項１から５のいずれかに記載の輸送箱。
【請求項７】
輸送箱は、一もしくは複数の技術装置（２００）を備える、請求項１から６のいずれかに記載の輸送箱。
【請求項８】
一もしくは複数の技術装置は、照明手段、ラウドスピーカー、アンテナあるいはパラボラ型アンテナのような電磁波放射の受信あるいは送信用の手段、浄水装置、ディーゼル発電機、太陽電池あるいは燃料電池スタックのような発電機を備えたグループから選択される、請求項７に記載の輸送箱。
【請求項９】
上記技術装置に電気エネルギーを供給するための手段（９０）をさらに備える、請求項７又は８に記載の輸送箱。
【請求項１０】
電気エネルギーを供給するための手段（９０）は、バッテリー、蓄電池、ガソリンあるいはディーゼルエンジンのような内燃機関に連結された発電機、燃料電池スタックを備えたグループから選択される、請求項９に記載の輸送箱。
【請求項１１】
輸送箱は、一もしくは複数の技術装置に接続されるあるいは一もしくは複数の技術装置に接続されるのに適した第１端（１３２）と、第２の端フレーム（１８）に取り付けられる第２端（１３４）を有し、一もしくは複数の技術装置の位置を上昇可能にする入れ子式の柱（１３０）を備える、請求項１から１０のいずれかに記載の輸送箱。
【請求項１２】
輸送箱は、２つ以上の技術装置を備え、さらに、２つ以上の技術装置を折り畳む展開装置（１３６）を備え、ここで、
入れ子式柱の第１端（１３２）は、２つ以上の技術装置を支持する支持板（１３８）に接続され、
展開装置（１３６）は、第１端（１４２）及び第２端（１４４）を有するロッド１４０を備え、
ロッド（１４０）の第１端（１４２）は、上記支持板（１３８）に接続され、
ここでハブ（１４６）がロッド（１４０）に滑動可能に取り付けられ、
２つ以上の技術装置の各々に関して、ハブは、回動的に接続された梁（１４８）を備え、
ここで２つ以上の技術装置の各々は、下端（１６０）で入れ子式柱（１３０）の第１端（１３２）の支持板（１３８）に回動的に接続され、かつ、上記技術装置（２００）の高位置で上記梁（１４８）に回動的に接続される、
請求項１１に記載の輸送箱。
【請求項１３】
輸送箱は、上記入れ子式の柱を所望位置にロックするロッキング手段（１５０）を備える、請求項１２に記載の輸送箱。
【請求項１４】
技術装置の数は、１、２、３、４、５又は６である、請求項１１から１３のいずれかに記載の輸送箱。
【請求項１５】
技術装置の数は２つ以上であり、ここで２つ以上の技術装置は本質的に同じものである、請求項１１から１４のいずれかに記載の輸送箱。
【請求項１６】
輸送箱は、上記第１の端フレーム（８）から上記第２の端フレーム（１８）まで９０〜１５５ｃｍの長手方向の伸び、９５〜１５０ｃｍのような、例えば１００〜１４５ｃｍ、１０５〜１４０ｃｍのような、例えば１１０〜１３５ｃｍ、１１５〜１３０ｃｍのような、例えば１２０〜１２５ｃｍの、長手方向の伸びを有する、請求項１から１５のいずれかに記載の輸送箱。
【請求項１７】
輸送箱は、端フレーム８，１８の一つの頂点１，２，３あるいは１１，１２，１３から端フレーム８，１８の反対側に配置された頂点４，５，６あるいは１４，１５，１６まで２５〜４０ｃｍの横方向の伸び、２６〜３９ｃｍのような、例えば２７〜３８ｃｍ、２８〜３７ｃｍのような、例えば２９〜３６ｃｍ、３０〜３５ｃｍのような、例えば３１〜３４ｃｍあるいは３２〜３３ｃｍの、横方向の伸びを有する、請求項１から１６のいずれかに記載の輸送箱。
【請求項１８】
請求項１から１７のいずれかに記載の輸送箱（１００）の製造方法であって、
−  上記輸送箱を作製する個々のエレメントを設けること、
−  上記輸送箱を得るように上記個々の要素を組み立てること、
を備えることを特徴とする製造方法。
【請求項１９】
上記組み立てることは、溶接及び／又はリベット締め及び／又はボルト締めによって行われる、請求項１８に記載の製造方法。
【請求項２０】
娯楽的状況、非常状態、専門的作業状況、地域あるいは地方権限を含む政治上の綱紀強化状況あるいは綱紀強化状況、又は軍事的状況における、請求項１から１７のいずれかに記載の輸送箱の使用。
【請求項２１】
ここで上記使用は、光を提供すること、人々へ情報を伝える音声のような音響信号を提供すること、テレビスクリーンあるいはモニターのように表示画面に表示された文字のような可視的情報を提供すること、浄水設備を提供すること、ディーゼル発電機、太陽電池、あるいは燃料電池スタックのような発電機を提供することに関する、請求項２０に記載の輸送箱の使用。
【発明の詳細な説明】
【技術分野】
【０００１】
本発明は、第１態様において技術装置用の輸送箱に関する。第２態様において本発明は、第１態様による輸送箱を製造する方法に関する。第３態様において本発明は、第１態様による輸送箱の使用に関する。
【背景技術】
【０００２】
技術装置が必要とされる様々な状況では、技術装置の容易な移動あるいは輸送のため、及びデリケートで壊れやすいかもしれない装置を保護するため、輸送箱にてその装置を輸送するのが好ましい。
【０００３】
これは、特に、技術装置が、光を提供する技術装置のように非常設置において使用するための装置、ポスターに印刷されたあるいは例えばＬＥＤスクリーンに表示される可視的な情報の形態にて公衆に情報を提供するための技術装置、ラウドスピーカー及びアンプによって人の音声の形態のような音響情報を提供するための技術装置であるところの状況においてである。
【０００４】
非常状況等では、技術装置が非常現場へ安全かつ容易に輸送可能なことは最も重要であり、かつその装置が容易かつ迅速にセットアップ可能であることは最も重要である。
【０００５】
ある状況では、技術装置によって提供される情報を大勢の人へ仲介するのを容易にするため、地面からある高さへ技術装置を上昇できることもまた最も重要であろう。
【０００６】
米国ＵＳ２００９／００９５７６２ Ａ１には、便利さを増すため容器を上げるように折り曲げ可能な伸縮可能スタンドを有する保管容器が開示されている。この米国出願公開２００９／００９５７６２号に記述された容器は、光を提供する装置あるいは公衆に情報を仲介する装置として使用するのには適していない。なぜならば、光を提供する装置あるいは公衆に情報を仲介する装置は、所望の効果を提供するために容器内部から外されなければならないが、上記容器の内側は水平方向に露出することができないからである。
【０００７】
イスラエルＩＬ７４８８８ Ａは、照明器具用の折り曲げ可能なスタンドを開示する。しかしながら、この公報の照明スタンドは、それ自体に照明装置用の保護ケースを備えていない。
【０００８】
したがって、技術装置の保護を提供し、同時に迅速で安全な方法にて技術装置の使用準備を可能にするという連続した要求が技術装置用の輸送箱に関して存在する。
【先行技術文献】
【特許文献】
【０００９】
【特許文献１】ＵＳ２００９／００９５７６２ Ａ１
【特許文献２】ＩＬ７４８８８ Ａ
【発明の概要】
【００１０】
この要求は、第１態様において技術装置２００用の輸送箱１００に関する本発明によって実行される。使用向けの配向において（in the orientation intended for use）この輸送箱は、以下のものを備える：
−  第１の上端フレーム８と、この第１の上端フレームは六角形の周囲を有し、６つの頂点１、２、３、４、５、６及び６つの縁１１、１２、１３、１４、１５、１６を備え；
−  第２の下端フレーム１８と、この第２の下端フレームは六角形の周囲を有し、６つの頂点２１、２２、２３、２４、２５、２６及び６つの縁３１、３２、３３、３４、３５、３６を備え；
−  第１及び第２の端フレームは、６つの長手方向の角エレメント４１、４２、４３、４４、４５、４６によって接続され；
−  それぞれの角エレメントは、第１の端フレーム８の１つの頂点から第２の端フレーム１８の１つの頂点まで延在し；
−  よって上記輸送箱は、６つの長手方向の側部５１、５２、５３、５４、５５、５６を備え；
−  ここで６つの長手方向の側部の内の３つは、脚部５１、５３、５５であり、各脚部は脚組立体６０を備え；
−  ここで各脚組立体６０は、対応する脚部５１、５３、５５に脚を収容する折り畳み状態と、直立位置に配置されたとき上記輸送箱の支持を提供するために脚部５１、５３、５５から外側へ脚が延在している伸展状態との間で切り替え可能なように適合した伸展可能な脚７０を備え；
−  ここで各脚組立体６０は、伸展状態において対応の脚を解放可能にロックするロッキング手段１１０を備え；
−  ここで３つの脚部５１、５３、５５のいずれか２つは、脚部５２、５４、５６ではない側部の両側に配置される。
【００１１】
第２態様では、本発明は、本発明の第１態様による輸送箱１００の製造方法に関し、この方法は、
−  上記輸送箱を構成する個々のエレメントを設けること、
−  上記輸送箱を得るように上記個々のエレメントを組み立てること、
を備える。
【００１２】
第３態様では、娯楽的状況、非常状態、専門的作業状況、政治上の綱紀強化状況もしくは地域あるいは地方権限を含む綱紀強化状況のような綱紀強化状況、又は、軍事的状況における、第１態様による輸送箱の使用に関する。
【００１３】
本発明の第１態様による輸送箱は、高範囲で多目的に利用可能である。輸送箱は、アンテナあるいはパラボラ型アンテナ等のような電磁波放射の受信あるいは送信用の手段、照明手段、ラウドスピーカー、等のような技術装置の収容を提供する。
【００１４】
さらに輸送箱は、例えば、娯楽的状況、非常状態、専門的作業状況、あるいは政治上の綱紀強化状況等において、そのような装置を使用するための迅速かつ容易な準備を提供する。
【００１５】
最後に、本発明の第１態様による輸送箱は、使用していないときにあまり場所を取らず、よって輸送箱は保管及び出荷が容易である。
【図面の簡単な説明】
【００１６】
【図１】本発明の第１態様による輸送箱の斜視図を示す。
【図２ａ】本発明の第１態様による輸送箱を組み立てる工程を示す。
【図２ｂ】本発明の第１態様による輸送箱を組み立てる工程を示す。
【図２ｃ】本発明の第１態様による輸送箱を組み立てる工程を示す。
【図２ｄ】本発明の第１態様による輸送箱を組み立てる工程を示す。
【図３】本発明の第１態様による輸送箱を上から見た斜視図を示す。
【図４ａ】本発明の第１態様による輸送箱のロッキングシステムの機能を説明する図である。
【図４ｂ】本発明の第１態様による輸送箱のロッキングシステムの機能を説明する図である。
【図４ｃ】本発明の第１態様による輸送箱のロッキングシステムの機能を説明する図である。
【図４ｄ】本発明の第１態様による輸送箱のロッキングシステムの機能を説明する図である。
【図５ａ】本発明の第１態様による輸送箱の展開装置の機能を説明する図である。
【図５ｂ】本発明の第１態様による輸送箱の展開装置の機能を説明する図である。
【図５ｃ】本発明の第１態様による輸送箱の展開装置の機能を説明する図である。
【図６】折り畳み状態において入れ子式の柱に配置された技術装置を備えた本発明の第１態様による輸送箱の斜視図を示す。
【図７】使用準備状態において入れ子式の柱に配置された技術装置を備えた本発明の第１態様による輸送箱の斜視図を示す。
【発明を実施するための形態】
【００１７】
本発明は、以下の詳細な説明からより完全に理解されるようになるだろう。添付の図面は、例示のみによって示され、いかなる方法においても本発明を限定していない。
【００１８】
第１態様による本発明
上述したように、第１態様における本発明は、技術装置２００用の輸送箱１００に関し、使用向けの配向において上記輸送箱は、以下のものを備える：
−  第１の上端フレーム８と、この第１の上端フレームは六角形の周囲を有し、６つの頂点１、２、３、４、５、６及び６つの縁１１、１２、１３、１４、１５、１６を備え；
−  第２の下端フレーム１８と、この第２の下端フレームは六角形の周囲を有し、６つの頂点２１、２２、２３、２４、２５、２６及び６つの縁３１、３２、３３、３４、３５、３６を備え；
−  第１及び第２の端フレームは、６つの長手方向の角エレメント４１、４２、４３、４４、４５、４６によって接続され；
−  それぞれの上記角エレメントは、第１の端フレーム８の１つの頂点から第２の端フレーム１８の１つの頂点まで延在し；
−  よって上記輸送箱は、６つの長手方向の側部５１、５２、５３、５４、５５、５６を備え；
−  ここで６つの長手方向の側部の内の３つは、脚部５１、５３、５５であり、各脚部は脚組立体６０を備え；
−  ここで各脚組立体６０は、対応する脚部５１、５３、５５に脚が収容される折り畳み状態と、直立位置に配置されたとき上記輸送箱の支持を提供するために脚部５１、５３、５５から外側へ脚が延在している伸展状態との間で切り替え可能なように適合した伸展可能な脚７０を備え；
−  ここで各脚組立体６０は、伸展状態において対応の脚を解放可能にロックするロッキング手段１１０を備え；
−  ここで３つの脚部５１、５３、５５の任意の２つは、脚部５２、５４、５６ではない側部の両側に配置される。
【００１９】
輸送箱は、照明装置、又は例えば非常状態用のラウドスピーカーあるいは液晶スクリーンのような公衆へ情報を提供するための装置のような、技術装置の輸送に適している。
【００２０】
第１態様による輸送箱は、６つの長手方向の角エレメントによって頂点―頂点を互いに接続した上部及び下部の六角形の端フレームを備える。この方法で輸送箱は６つの長手方向の側部を備え、その１側部おき、つまり３つの側部が脚部であり、その各々が脚組立体を備える。
【００２１】
端部８，１８は、各端が同じ寸法を有する規則的な六角形状であってもよく、又は、いくつかの側１１，１３，１５あるいは３１，３３，３５が他の側１２，１４，１６あるいは３２，３４，３６よりもそれぞれ長いもしくは短い不規則な六角形状であってもよい。
【００２２】
各脚組立体６０は、伸展可能な脚７０を備える。この伸展可能な脚は、対応する脚部５１、５３、５５に脚が収容される折り畳み状態と、上記脚が脚部５１、５３、５５から外側へ伸展している伸展状態との間で切り替わることができるように適している。
【００２３】
この特徴は、本発明の第１態様による輸送箱においてその折り畳み状態では、一つおきの側部は、伸展可能な脚のための収容部分として機能することを意味する。輸送箱の内部内で運ばれる、照明手段のような技術装置は、３つの脚の一もしくは複数を折り畳み状態から伸展状態へ変更することによって容易に、迅速に、及び簡単に使用の準備がなされるであろう。もし３つの脚のすべてがそれぞれの伸展した状態にされるならば、輸送箱は、技術装置を直立方向に保つスタンドを備えるだろう。
【００２４】
本明細書及び添付の請求範囲において、「使用向けの配向において（in the orientation intended for use）」の文言は、６つの長手方向の角エレメントが本質的に垂直に配向される方向決めであるように、及び、脚が伸展状態とされる場合、脚が箱の下部から伸展するような方向決めであるように解釈されるべきである。
【００２５】
本発明の第１態様の一つの実施形態では、各脚組立体は、その折り畳み状態において上記脚を解放可能にロックするロッキング手段を備える。
【００２６】
この特徴は、輸送の間、いずれの脚も折り畳み状態から伸展状態へ脚の位置が変化するのを許されないことを確保するということから有利であろう。したがって技術装置は、６つの長手方向の側部の健全性によって保護されるだろう。
【００２７】
本発明の第１態様の一つの実施形態において、各脚組立体は、
−  上述の脚７０と、この脚は、その一端にて、上記脚組立体６０に対応する第２の端フレーム１８でのように上記第２の端フレーム１８に近接した位置にて上記脚組立体に対応する脚部５１、５３、５５に回動的に取り付けられ、
−  ２つの端を有する支持支柱７２と、第１端７４は上記脚７０に回動的に取り付けられ、第２端７６は脚部５１、５３、５５へ滑動可能に取り付けられる、
を備える。
【００２８】
このような脚組立体は、製造が容易で採算性が良いことが判った。さらに、そのような設計は、使用において頑丈であり、かつ、対応する脚を折り畳み状態から伸展状態にする、及びその逆にすることも容易である。
【００２９】
本明細書及び請求範囲における「第２の端フレームに近接した」の用語は、脚が脚部に回動的に取り付けられている位置が上記脚部の長手方向伸びの下部３０％に対応する位置であることを意味するように理解されるべきである。
【００３０】
本発明の第１態様の一つの実施形態において、脚組立体のロッキング手段１１０は、以下のものを備える：
第１端１１４及び第２端１１６を有するロッキングエレメント１１２と；
脚部５１、５３、５５に配置され、かつ脚７０のロックを形成するように上記ロッキングエレメント１１２の上記第１端１１４と係合するのに適したロック板１１８と；
上記ロッキングエレメント１１２は、ロッキングエレメント１１２の上記第１端１１４と上記第２端１１６との間の位置で上記支持支柱７２の上記第２端７６に回動的に取り付けられ；
安全ピン１２０と；
上記安全ピン１２０は、ロッキングエレメント１１２の第２端１１６とロッキングピンを係合することによって、安全ピンがロッキングエレメント１１２のロック板１１８との非係合を防止するロッキング位置と、安全ピンがロッキングエレメント１１２のロック板１１８との非係合を許可する非ロッキング位置との間で切り替えられるのに適している。
【００３１】
この種のロッキング手段は、フェールセーフになる。その機能は直感的であり、不慣れなユーザーによっても容易に理解される。さらにこの設計は、製造が容易であり、採算性がよい。
【００３２】
本発明の第１態様の一つの実施形態において、安全ピン１２０は、そのロッキング位置あるいは非ロッキング位置の適所にそれを保持するようにバネ付勢される。
【００３３】
このような設計は、その単純さに関して有益になる。
【００３４】
各脚組立体６０に関して、対応する側部５１、５２、５３、５４、５５、５６と、伸展してロックされた状態における脚７０との間の角度は、本発明の第１態様の一つの実施形態では、９０〜１７５°の角度、９５〜１７０°のような、例えば１００〜１６５°、例えば１０５〜１６０°、１１０〜１５５°のような、例えば１１５〜１５０°、１２０〜１４５°のような、例えば１２５〜１４０°、１３０〜１３５°のような角度である。
【００３５】
これらの角度は、脚が本発明の輸送箱の長手方向に直角に延在する、あるいは輸送箱の本体から下方に延在することを確保し、よって、その直立位置において輸送箱に優れた支持を提供する。
【００３６】
本発明の第１態様の一つの実施形態において、輸送箱は、一もしくは複数の技術装置２００を備える。
【００３７】
本発明の第１態様の一つの実施形態では、次のものを備えるグループから一もしくは複数の技術装置が選択される：  照明手段；ラウドスピーカー；アンテナあるいはパラボラ型アンテナのような電磁波放射の受信あるいは送信用の手段、浄水装置、ディーゼル発電機、太陽電池あるいは燃料電池スタックのような発電機。
【００３８】
本発明の第１態様の一つの実施形態では、輸送箱は、さらに、上記技術装置に電気エネルギーを供給するための手段を備える。
【００３９】
本発明の第１態様の一つの実施形態において、電気エネルギーを供給するための上記手段９０は、次のものを備えるグループから選択される：  バッテリー、蓄電池、ガソリンあるいはディーゼルエンジンのような内燃機関に連結された発電機、燃料電池スタック。
【００４０】
本発明の第１態様の一つの実施形態において、技術装置の数は、１、２、３、４、５あるいは６つである。
【００４１】
本発明の第１態様の一つの実施形態において、技術装置の数は、２つもしくはそれよりも多くの数であり、ここで２つもしくはそれよりも多くの数の技術装置は、本質的に同一のものである。
【００４２】
本発明による輸送箱の使用が非常に多目的である点から見ると、１アイテムを超える技術装置を輸送箱に装備するのが好ましい。そのような技術装置は、異なる３方向、各方向が他の方向に対して約１２０°の角度である、に音を向けるように配置された３つのラウドスピーカーであってもよい。あるいはまた、輸送箱は、異なる３方向、各方向が他の方向に対して約１２０°の角度である、に光を向けるように配置された３つの照明手段で装備されてもよい。
【００４３】
さらに、輸送箱に、異なる技術装置、例えば、ラウドスピーカーシステムと共に情報を提供するＬＥＤあるいは液晶スクリーン、又は、浄水設備、ディーゼル発電機、太陽電池あるいは燃料電池スタックのような発電機と共に装備することは可能である。
【００４４】
電気エネルギーを供給するための手段９０を上記技術装置に統合することによって、使用の準備状態への輸送箱のセットアップは非常に迅速で容易になるであろう。このことは、例えば非常状態において大変有益かもしれない。
【００４５】
本発明の第１態様の一つの実施形態において、輸送箱は、上述の一もしくは複数の技術装置に接続されたあるいは接続するのに適した第１端１３２と、上記第２の端フレーム１８に取り付けられる第２端１３４とを有し、上記一もしくは複数の技術装置の位置を上げることを可能にする入れ子式の柱１３０を備える。
【００４６】
このような実施形態は、技術装置が地面からさらに上昇されるので、輸送箱の技術装置によって提供される情報は、多くの人々に届くかもしれないということを保証するかもしれない。
【００４７】
この実施形態の一つの実施形態では、上記輸送箱は、技術装置の２つ以上のアイテムの技術装置を備え、さらに、２つ以上のアイテムの技術装置を折り畳む展開装置１３６を備える。ここで、
上記入れ子式の柱の上記第１端１３２は、上記２以上の技術装置を支持する支持板１３８に接続され、
上記展開装置１３６は、第１端１４２及び第２端１４４を有するロッド１４０を備え、
上記ロッド１４０の上記第１端１４２は、上記支持板１３８に接続され、
ここで、ハブ１４６が上記ロッド１４０に滑動可能に取り付けられ、
上記２以上の技術装置の各々に対して上記ハブは、回動的に接続した梁１４８を備え、
ここで上記２以上の技術装置の各々は、下端１６０で、上記入れ子式の柱１３０の上記第１端１３２の上記支持板１３８に回動的に接続され、及び、上記技術装置２００のより高い位置で、上記梁１４８に回動的に接続される。
【００４８】
このような実施形態は、輸送箱がその内側に対称的に配置された例えば６つの照明デバイスを備えるような場合に特に好ましい。そのような６つの照明デバイスから発せられた光が医療補助員あるいは他の緊急スタッフ用の作業場かもしれない下の地面に向けられることを、展開装置は確保してもよい。
【００４９】
この実施形態はまた、一つのみの技術装置アイテムと共に使用されるときに有利かもしれない。
【００５０】
この実施形態の一つの実施形態では、上記輸送箱は、所望の位置に上記入れ子式の柱をロックするためのロッキング手段１５０を備える。
【００５１】
このロッキング手段は、一旦ロックしたならば入れ子式の柱はその位置を変更しないであろうということを確保するであろう。
【００５２】
本発明の第１態様の一つの実施形態では、輸送箱は、上記第１の端フレーム８から上記第２の端フレーム１８まで９０〜１５５ｃｍの長手方向の伸び、９５〜１５０ｃｍのような、例えば１００〜１４５ｃｍ、１０５〜１４０ｃｍのような、例えば１１０〜１３５ｃｍ、１１５〜１３０ｃｍのような、例えば１２０〜１２５ｃｍの、長手方向の伸びを有している。
【００５３】
本発明の第１態様の一つの実施形態において、輸送箱は、端フレーム８，１８の一つの頂点１，２，３あるいは１１，１２，１３から、端フレーム８，１８の反対側に配置された頂点４，５，６あるいは１４，１５，１６まで２５〜４０ｃｍの横方向の伸び、２６〜３９ｃｍのような、例えば２７〜３８ｃｍ、２８〜３７ｃｍのような、例えば２９〜３６ｃｍ、３０〜３５ｃｍのような、例えば３１〜３４ｃｍあるいは３２〜３３ｃｍの、横方向の伸びを有している。
【００５４】
上述の寸法は、実質的で好適なものであることが判る。上述の範囲にある場合、そのような輸送箱の多くは、ＥＵＲパレットの上にきれいに積み重ねられてもよい。よってそのような寸法は、容易な搬送及び不使用時の保管を提供する。
【００５５】
第２態様による本発明
第２態様における本発明は、第１態様による輸送箱１００の製造方法に関する。この方法は、次のステップを備える：
−  上記輸送箱を作製する個々のエレメントを提供すること；
−  上記輸送箱を得るように個々のエレメントを組み立てること。
【００５６】
一つの実施形態において、上記組み立てることは、溶接及び／又はリベット締め及び／又はボルト締めによって行われる。
【００５７】
上述の方法は、第１態様による輸送箱を製造する簡単で採算性の良い方法である。
【００５８】
第３態様による本発明
第３態様における本発明は、娯楽的状況、非常状態、専門的作業状況、地域あるいは地方権限を含む政治上のあるいは綱紀強化状況のような綱紀強化状況、又は、軍事的状況における、第１態様による輸送箱の使用に関する。
【００５９】
一つの実施形態におけるその使用は、光の提供、人々へ情報を伝える音声のような音響信号の提供、テレビスクリーンあるいはモニターのように表示画面に表示された文字のような可視的情報の提供、浄水設備の提供、ディーゼル発電機、太陽電池、あるいは燃料電池スタックのような発電機の提供に関する。
【００６０】
本発明の好ましい実施形態を図示するための図面を詳細に参照して、技術装置用の輸送箱が図１に図示されている。
【００６１】
図１に図示される輸送箱１００は横向きになっている。輸送箱１００は、第１の端フレーム８、第２の端フレーム１８を備え、それぞれ六角形の周囲を有する。各端フレーム８、１８は、それぞれ６つの頂点１、２、３、４、５、６及び２１、２２、２３、２４、２５、２６を備える。同様に、端フレーム８、１８は、それぞれ６つの縁１１、１２、１３、１４、１５、１６及び３１、３２、３３、３４、３５、３６を備える。
【００６２】
角エレメント４１、４２、４３、４４、４５、４６は、端フレーム８と端フレーム１８との間で頂点から頂点へ延在する。一方では第１の端フレームの一つの端と第２の端フレームの対応する端との間、及び他方では隣接する角エレメント間で規定される領域は、輸送箱の長手方向の側部を形成する。したがって輸送箱は、６つの長手方向の側部を備える。これらの内の３つの長手方向の側部５１、５３、５５は脚部である。
【００６３】
図１は、長手方向の側部５２及び脚部５１を示す。脚部５１は、脚組立体６０を備え、これは順に伸展可能な脚７０を備える。
【００６４】
図２ａ、図２ｂ、図２ｃ及び図２ｄは、輸送箱１００を使用するための準備のプロセスを示す。図２ａにおいて、輸送箱は、長手方向の側部５１、５２、５３、５４、５５、５６が基本的に垂直に配向された直立方向に位置決めされている。図２ａは、図を見る人に面した脚組立体を示している。
【００６５】
図２ｂでは、図２ａの輸送箱の脚部５１、５３、５５の脚は伸展中にある。図２ｂは、脚組立体６０が脚７０及び支持支柱７２を備えることを示す。脚７０は、その一端で、第２の端フレーム１８で脚部に回動的に取り付けられている。支持支柱７２は、その一端７４にて、脚の長手方向長さの略中程にて脚７０に回動的に取り付けられる。支持支柱７２の他端７６は、対応する側部に滑動可能に取り付けられる。
【００６６】
図２ｃにおいて、輸送箱１００の脚７０は、輸送箱が位置している地面と平行に脚が置かれる程度まで伸展される。
【００６７】
図２ｄでは、輸送箱の本体は、持ち上げられる。これは、脚をロックするためのロッキング手段１１０（図示せず）が脚の伸展状態において脚７０をロックするように、脚７０がさらに下降することを示唆している。
【００６８】
図３は、上方からの斜視図において直立状態における輸送箱１００を示す。図３は、６つの角エレメント４１、４２、４３、４４、４５、４６によってそれらの頂点で第２の端フレーム１８と接続される第１の端フレーム８を示す。これら角エレメントは、３つの長手方向の側部５２、５４、５６が輸送箱１００の内部を露出するように設計されている。一方、他の３つの長手方向の側部、即ち脚部５１、５３、５５は、十分な範囲で外側から閉じられている。
【００６９】
図４ａから図４ｄは、脚が伸展した位置にあるときにロックされた状態に脚７０をロックする好ましいロッキング手段１１０を示す。ロッキング手段１１０は、上部端１１４及びもう一つの下部端１１６を有するロッキングエレメント１１２を備える。ロッキングエレメント１１２は、上記支持支柱７２の第２端７６に回動的に取り付けられている。ロック板１１８は、対応する長手方向の脚部５１に固定される。安全ピン１２０は、２つの位置、つまりロッキング位置及び非ロッキング位置の一つにおいて係合するようにバネ付勢されている。
【００７０】
支持支柱７２の第２端７６は、脚部に関して上下に滑ってもよい。図４ａでは、支持支柱の第２端７６は比較的低い。ロック板１１８は、ロッキングエレメント１１２の上方に位置する。安全ピン１２０は、図２ａにおいて、そのロックされた位置に係合する。このことは、ロッキングエレメント１２０が旋回することができないことを意味する。したがってロック板１１８は、支持支柱の第２端７６が脚部に関してさらに上向きに滑ることができないことを確保する。したがって脚７０は、その伸展した位置に固定される。
【００７１】
図４ｂにおいて、安全ピンは、非ロッキング位置に係合している。このことは、ロッキングエレメント１１２が旋回することを可能にする。ロッキングエレメント１１２が旋回することによって、ロッキングエレメントはさらに上向きに滑ることができ、それにより、ロック板１１８を通過する。この状況が図４ｃ及び図４ｄに示されている。
【００７２】
図５ａは、本発明による輸送箱１００の好ましい実施形態を示す。輸送箱１００は、箱の内側から上向きの方向に伸展可能な入れ子式の柱１３０を備える。
【００７３】
入れ子式の柱１３０は、第１の上部端１３２を備える。柱の第１端の上に、支持板１３８が配置される。支持板は六角形の形状を有し、その６つの側面では、技術装置の６つのアイテムが、本例では照明手段の形態において、回動的に取り付けられる。各照明手段は、その下部端で回動的に取り付けられることに加えて、梁１４８の一端で梁１４８に回動的に取り付けられる。梁の他端は、ハブに回動的に取り付けられ、ハブには、技術装置の他の５つのアイテムに関連して、対応する他の５つの梁もまた取り付けられる。ハブの中央部は、ロッド１４０に滑動可能に取り付けられる。ロッド１４０は、その他端１４４にて、入れ子式の柱１３０内に収容される。
【００７４】
ハブ１４６を上下に滑らせることによって、本例では照明装置の形態における技術装置の角度を多少程度変えることができ、したがって、放射される光の向きを調節することができる。
【００７５】
図５ｂは、図５ａの輸送箱の展開装置１３６をある程度折り畳んだ状態において示している。図５ｃは、図５ａの輸送箱の展開装置１３６を完全に折り畳んだ状態において示している。
【００７６】
図６は、伸展可能な脚が折り畳まれた状態で、かつ入れ子式の柱が折り畳まれた状態の完全に折り畳まれた状態において、図５ａから図５ｃの展開装置１３６を備えた輸送箱１００を示している。
【００７７】
図７は、伸展可能な脚が伸展された状態にあり、かつ入れ子式の柱が伸展された状態の完全に伸展された状態において、図６の輸送箱１００を示している。図７はまた、入れ子式の柱をロックするためのロッキング手段１５０も示している。
【００７８】
参照符号リスト
１、２、３、４、５、６                第１の端フレームの頂点
８                                    第１の端フレーム
１１、１２、１３、１４、１５、１６    第１の端フレームの端
１８                                  第２の端フレーム
２１、２２、２３、２４、２５、２６    第２の端フレームの頂点
３１、３２、３３、３４、３５、３６    第２の端フレームの端
４１、４２、４３、４４、４５、４６    角エレメント
５１、５３、５５                      脚部である長手方向の側部
５２、５４、５６                      脚部ではない長手方向の側部
６０                                  脚組立体
７０                                  伸展可能な脚
７２                                  脚組立体の支持支柱
７４                                  支持支柱の第１端
７６                                  支持支柱の第２端
１００                                輸送箱
１１０                                伸展状態に脚をロックするロッキング手段
１１２                                ロッキング手段１１０のロッキングエレメント
１１４                                ロッキングエレメントの第１端
１１６                                ロッキングエレメントの第２端
１１８                                ロック板
１２０                                安全性ピン
１３０                                入れ子式の柱
１３２                                入れ子式の柱の第１端
１３４                                入れ子式の柱の第２端
１３６                                展開装置
１３８                                入れ子式の柱の支持板
１４０                                展開装置のロッド
１４２                                展開装置のロッドの第１端
１４４                                展開装置のロッドの第２端
１４６                                展開装置のハブ
１４８                                展開装置の梁
１５０                                入れ子式の柱用のロッキング手段
１６０                                技術装置の接続の下端
２００                                技術装置
【図１】
2015536875.tif 000003
【図２ａ】
2015536875.tif 000004
【図２ｂ】
2015536875.tif 000005
【図２ｃ】
2015536875.tif 000006
【図２ｄ】
2015536875.tif 000007
【図３】
2015536875.tif 000008
【図４ａ】
2015536875.tif 000009
【図４ｂ】
2015536875.tif 000010
【図４ｃ】
2015536875.tif 000011
【図４ｄ】
2015536875.tif 000012
【図５ａ】
2015536875.tif 000013
【図５ｂ】
2015536875.tif 000014
【図５ｃ】
2015536875.tif 000015
【図６】
2015536875.tif 000016
【図７】
2015536875.tif 000017
【国際調査報告】
2015536875.tif 000018
2015536875.tif 000019